(57)【要約】【課題】  指に嵌めた状態でリング体に対する宝飾部材の向きが変化し、特に光の反射方向によって異なる輝きや色など、宝石や貴金属のもつ美しさを十分に発揮できる指輪を得る。【解決手段】  貴金属や宝石などの宝飾部材２と、リング体１と、前記宝飾部材２をリング体１に取り付ける支持部材３とで構成し、前記支持部材３は略Ｓ字形の線状部材の一対を前記リング体１から突出するようにして向かい合わせに接合し、一対の支持部材３で形成される空間内に宝飾部材２を配置し、この宝飾部材２を支持部材３に回転自在に取り付けた。【選択図】        図１
0003103217.tif 000002
【実用新案登録請求の範囲】
【請求項１】
貴金属や宝石などの宝飾部材と、リング体と、前記宝飾部材をリング体に取り付ける支持部材とで構成し、前記リング体に支持部材を固定し、該支持部材に架設したピンに前記宝飾部材を回転自在に取り付けたことを特徴とする指輪。
【請求項２】
貴金属や宝石などの宝飾部材と、リング体と、前記宝飾部材をリング体に取り付ける支持部材とで構成し、支持部材を貫通させて該宝飾部材の両側に配置した支持部材にピンで宝飾部材を回転自在に軸着し、ピンの先端は一方の支持部材の内部に差込み、他端に形成されるピン挿入のための開口部はレーザー蝋付けで塞ぐことを特徴とする指輪。
【考案の詳細な説明】
【技術分野】
【０００１】
この考案は、装身具である指輪に関するものである。
【背景技術】
【０００２】
指輪には周知のように指に嵌めるリング体に貴金属や宝石などの宝飾部材を取り付けたものがあるが、この宝飾部材をリング体に取り付ける手段として、従来からリング体に台座を固定し、この台座の上に宝飾部材を固定するものがある（例えば特許文献１参照）。
【０００３】
また、表側と裏側とで異なる装飾を施し２通りのデザインに使用可能な指輪もある（例えば特許文献２参照）。これは、指輪を、宝石や彫刻などの装飾を施した装飾部材と、この装飾部材を指に嵌挿状態で装着する別体の環状支持部材とで構成し、装飾部材は環状支持部材の一部に周方向に沿って形成した支軸を中心として回転可能に支持され、かつ、表側と裏側とで異なる装飾が施されているものとした。
【特許文献１】特開２００１−３２５２１１号公報
【特許文献２】特開２００１−２１７号公報
【考案の開示】
【考案が解決しようとする課題】
【０００４】
前記特許文献１に記載のような指輪は、宝石などの宝飾部材が台座を介してリング体に固定されているため、リング体や指との関係において配置された方向が固定的なものになってしまい、特に光の反射方向によって異なる輝きや色など、宝石や貴金属のもつ美しさを十分に発揮できなかった。
【０００５】
特許文献２に記載の指輪は、装飾部材がリング体（環状支持部材）に回転可能に支持されるものではあるが、これは装飾部材の表裏のいずれかを選択して使用するために回転させるものであり、指に嵌めた装着状態では表裏いずれかの側のみが表に現れてリング体に固定された状態となる。よって、使用状態では前記特許文献１と同様の課題が生じることになる。
【０００６】
本考案の目的は前記従来例の不都合を解消し、指に嵌めた状態でリング体に対する宝飾部材の向きが変化し、特に光の反射方向によって異なる輝きや色など、宝石や貴金属のもつ美しさを十分に発揮できる指輪を提供することにある。
【課題を解決するための手段】
【０００７】
本考案は前記目的を達成するため、請求項１記載の考案は、貴金属や宝石などの宝飾部材と、リング体と、前記宝飾部材をリング体に取り付ける支持部材とで構成し、前記リング体に支持部材を固定し、該支持部材に架設したピンに前記宝飾部材を回転自在に取り付けたことを要旨とするものである。
【０００８】
請求項１記載の本考案によれば、宝飾部材は一対の支持部材で形成される空間内に回転自在に取り付けたから、指輪を指に嵌めた状態で指や手を動かせば、この動きによって宝飾部材が自動的に回転する。その結果、リング体に対する貴金属や宝石などの表面に形成されている反射面の方向が変化し、輝きや色がさらに自在に変化して宝飾部材の有する美しさを十分に発揮できる。
【０００９】
請求項２記載の本考案は、貴金属や宝石などの宝飾部材と、リング体と、前記宝飾部材をリング体に取り付ける支持部材とで構成し、宝飾部材を貫通させて該宝飾部材の両側に配置した支持部材にピンで宝飾部材を回転自在に軸着し、ピンの先端は一方の支持部材の内部に差込み、他端に形成されるピン挿入のための開口部はレーザー蝋付けで塞ぐことを要旨とするものである。
【００１０】
請求項２記載の本考案によれば、宝飾部材は一対の支持部材で形成される空間内に回転自在に取り付けたから、指輪を指に嵌めた状態で指や手を動かせば、この動きによって宝飾部材が自動的に回転する。その結果、リング体に対する貴金属や宝石などの表面に形成されている反射面の方向が変化し、輝きや色がさらに自在に変化して宝飾部材の有する美しさを十分に発揮できる。
【００１１】
さらに、宝飾部材を回転させる構造として、宝飾部材を貫通させたピンを支持部材に係止するものとしたが、支持部材に形成したピン挿入用の開口部は、レーザー蝋付けで塞いだから、開口部が全く目立たず装飾品としての体裁が損なわれない。また、レーザー蝋付けとすることで、真珠などの熱に弱い宝飾部材に対しても有効に実施できる。
【考案の効果】
【００１２】
本考案の指輪は、宝飾部材は一対の支持部材で形成される空間内に回転自在に取り付けたから、指輪を指に嵌めた状態で指や手を動かせば、この動きによって宝飾部材が自動的に回転するから、指に嵌めた状態でリング体に対する宝飾部材の向きが変化し、特に光の反射方向によって異なる輝きや色などがさらに自在に変化して、宝石や貴金属のもつ美しさを十分に発揮できる。
【考案を実施するための最良の形態】
【００１３】
以下、図面について本考案の実施の形態を詳細に説明する。図１は本考案の指輪の実施の形態を示す要部の平面図、図２は同上正面図で、指輪は指に直接嵌まる部分であるリング体１、貴金属、宝石や真珠等の宝飾部材２およびこの宝飾部材２をリング体１に固定する支持部材３とで構成される。
【００１４】
リング体１は、例えば貴金属などを材質として環状に形成される。
【００１５】
宝飾部材２は後述の支持部材３に回転自在に軸着できるとともに、回転により表に現れる面が宝飾性を備える形状として、例えば図示のような球形に形成するもので、真珠や、半輝石などの宝石の他に貴金属などの採用が考えられる。この場合、真珠は原形のまま使用し、宝石や貴金属は球形にカットする。
【００１６】
宝飾部材２を貴金属製とする場合、金属製本体の表面の一部に塗料を塗着し、金属部と塗着部との組み合わせで形成することも可能であり、材質として金を使用し、全体形状を例えば中空の球形とした。
【００１７】
そして、円周上をこれに沿う帯状の金属部に形成し、残りの略半球部分を後述の塗着部に形成し、宝飾部材２の表面を金属部と塗着部との組み合わせで形成する。
【００１８】
前記金属部は、宝飾部材２を構成する金属をそのまま使用し、例えば、外側に突出する多数の小さな台形状の突起の連続する集合で形成し、突起の上面は平坦部に形成する。突起が球面の表面に、鏡面仕上げとして曲面に沿って形成されるものであることから、前記平坦部は各々が異なる方向に向く面となって形成され、しかも、表面が金属の特性を活かした輝面に形成されるから、金属部の全体がミラーボールのように乱反射面に形成される。
【００１９】
塗着部は、金属製の宝飾部材２の表面を細かな凹凸を設けた粗面に形成し、この粗面の上に塗料を付着させるものである。塗料の種類としては、例えば、ＴＦＩ塗料（樹脂名称）を使用する。このＴＦＩ塗料は、塗料成分が、ポリイミド樹脂、顔料、染料、その他熱硬化性樹脂からなり、食品衛生法に合格した安全で皮膚刺激機性の無いものであり、任意の色が可能なものである。また、表面硬度も４Ｈで硬度に優れ、付着性もよく、耐薬品性、耐熱性にも優れたものである。
【００２０】
支持部材３は例えばリング体１と同じ材質の線状の貴金属を使用し、頂部３ａと底部３ｂとを有する起伏する形状の略Ｓ字形に形成したもので、この一対を、それぞれの頂部３ａ，３ａと底部３ｂ，３ｂとを対向させて組合わせ接合したもので、頂部３ａからの立下り端部がリング体１に接合し、底部３ｂからの立ち上がり端部が他方の支持部材３の頂部３ａに接合する。
【００２１】
一対の支持部材３で囲まれて形成される空間内に宝飾部材２を配置する。この場合、支持部材３の略Ｓ字形の曲線と宝飾部材２の球面の曲線とはほぼ同じに形成しておく。これにより、宝飾部材２を支持部材３，３間の空間にすっぽりと納めることができる。
【００２２】
宝飾部材２の中心にピン４の貫通孔２ａを形成するとともに、一方の指示部材３の頂部近傍にもピン４の挿入孔５を形成し、この挿入孔５の開口端からピン４を挿入孔５および貫通孔２ａに挿入し、ピン４の先端を他方の支持部材３内に差込んで埋設する。これにより、宝飾部材２はピン４で吊支された状態で、一対の支持部材３，３間に回転自在に配置される。
【００２３】
ピン４を挿入した挿入孔５の開口端は、レーザー蝋付けで塞ぐ。これにより、開口端を塞ぐために熱を要しないことになり、熱に弱い真珠などを宝飾部材２に採用することも可能となる。このレーザー蝋付けは、レーザー溶接機を使用するもので、レーザー効果が金属の内部の深いところまで到達する高電圧／短時間照射、または深度が浅く、仕上げ工程のフラットニングに適した低電圧／長時間照射パラメータを選択して行い、出力の上下設定電圧／照射時間の両方を設定することで行う。これにより、開口端をピンポイント的にフラットに仕上げることができる。
【００２４】
以上のようにして一対の支持部材３，３間に宝飾部材２を吊支した指輪を指に嵌めれば、指や手を動かすたびに、宝飾部材２がピン４を軸として回転し、リング体１の上に現れる面が変化する。その結果、リング体１に対する貴金属や宝石などの宝飾部材２の表面に形成されている反射面の方向が変化し、輝きや色がさらに自在に変化して宝飾部材２の有する美しさを十分に発揮できる。例えば、宝飾部材２を真珠とした場合、色の微妙な変化が回転により増長され，真珠独特の美しさが十分に発揮され、金などの貴金属の場合も輝きが増して、真珠や貴金属の存在感も強調できる。
【００２５】
特に、宝飾部材２が前記した表面を金属部と塗着部との組み合わせで形成するものの場合は、回転により金属部が乱反射する輝面となってミラーボールのような輝きを見せ、同時にリング体１に対する塗着部の位置が移動するから色の変化も楽しむことができて装飾性が高まる。
【００２６】
宝飾部材２の形状は前記した球形に限定されるものではなく、一対の支持部材３，３の間にピン４で回転自在に吊支できる形状であればよく、例えば円柱などの筒状体や多面体とすることも可能である。
【図面の簡単な説明】
【００２７】
【図１】本考案の指輪の実施形態を示す要部の平面図である。
【図２】本考案の指輪の実施形態を示す正面図である。
【符号の説明】
【００２８】
１  リング体                  ２  宝飾部材
２ａ  貫通孔                  ３  支持部材
３ａ  頂部                    ３ｂ  底部
４  ピン                      ５  挿入孔
【図１】
0003103217.tif 000003
【図２】
0003103217.tif 000004